(57)【要約】【課題】光伝送装置において、ダミー光の送信レベルを細かく調整すること。全てのチャンネルにチャンネルダミー光を挿入する場合に比べて迅速にダミー光の送信レベルを調整すること。【解決手段】光伝送装置は、波長多重部２及び選択部１を有する。波長多重部２は、ＷＤＭのチャンネルごとのチャンネルダミー光と、複数のチャンネルを含むサブバンドごとのサブバンドダミー光のうち、サブバンドごとに選択部１により選択されるいずれかのダミー光を波長多重する。選択部１は、サブバンドごとにチャンネルダミー光の強度に対する受信端での伝送特性を計測し、計測結果に応じて、サブバンドごとにチャンネルダミー光またはサブバンドダミー光のいずれかを選択する。【選択図】図１
2014187671.tif 000002
【特許請求の範囲】
【請求項１】
ＷＤＭのチャンネルごとのダミー光と、複数の前記チャンネルを含むサブバンドごとのダミー光とを波長多重する波長多重部と、
前記サブバンドごとに前記チャンネルごとのダミー光の強度に対する受信端での伝送特性を計測し、前記計測結果に応じて、前記サブバンドごとに前記チャンネルごとのダミー光、または前記サブバンドごとのダミー光のいずれかを選択する選択部と、
を備え、前記サブバンドごとに前記選択部により選択されるいずれかのダミー光を前記波長多重部により波長多重することを特徴とする光伝送装置。
【請求項２】
前記選択部は、前記受信端での伝送特性の計測結果に基づいて前記サブバンドごとに線形状態であるか否かを判定し、前記判定結果が線形状態であるサブバンドに対して前記サブバンドごとのダミー光を選択し、前記判定結果が非線形状態であるサブバンド及び該非線形状態であるサブバンドの両隣のサブバンドに対して前記チャンネルごとのダミー光を選択することを特徴とする請求項１に記載の光伝送装置。
【請求項３】
前記選択部は、前記判定結果が線形状態及び非線形状態のいずれでもない状態であるサブバンドに対して前記チャンネルごとのダミー光を選択することを特徴とする請求項２に記載の光伝送装置。
【請求項４】
前記選択部は、前記チャンネルごとのダミー光の出力変化に対する前記受信端での伝送特性の変化に基づいて前記サブバンドの状態を判定することを特徴とする請求項２または３に記載の光伝送装置。
【請求項５】
ＷＤＭのチャンネルごとのダミー光と、複数の前記チャンネルを含むサブバンドごとのダミー光とを波長多重するにあたって、
前記サブバンドごとにチャンネルごとのダミー光の強度に対する受信端での伝送特性を計測し、
前記計測結果に応じて、前記サブバンドごとに前記チャンネルごとのダミー光、または前記サブバンドごとのダミー光のいずれかを選択し、
前記サブバンドごとに選択されるいずれかのダミー光を波長多重することを特徴とするダミー光挿入方法。
【発明の詳細な説明】
【技術分野】
【０００１】
この発明は、光伝送装置及びダミー光挿入方法に関する。
【背景技術】
【０００２】
従来、ＷＤＭ（Ｗａｖｅｌｅｎｇｔｈ  Ｄｉｖｉｓｉｏｎ  Ｍｕｌｔｉｐｌｅｘｉｎｇ、波長分割多重）システムの不使用チャンネルに自然放出光からなるダミー光を挿入するシステムがある。このシステムにおいて、ダミー光の波長は、ＷＤＭシステムの利得スペクトルの歪みに基づいて選択される（例えば、特許文献１参照）。
【先行技術文献】
【特許文献】
【０００３】
【特許文献１】特表２００８−５１０３８８号公報
【発明の概要】
【発明が解決しようとする課題】
【０００４】
従来、システムで使用する全波長を、一定波長帯ごとにサブバンドと呼ばれる複数の区間に分割し、サブバンドごとに、サブバンドの波長帯域と同じ波長帯域を有するダミー光を挿入することがある。これ以降の説明において、サブバンドの波長帯域と同じ波長帯域を有するダミー光をサブバンドダミー光と称することがある。
【０００５】
サブバンドには複数のチャンネル、すなわち波長が含まれており、サブバンドダミー光の送信パワーは１チャンネルの信号光の送信パワーよりも大きい。従って、サブバンドダミー光の送信パワーが、サブバンドに含まれる全チャンネルの信号光の合計送信パワーと等価になるように、サブバンドの幅が決定される。
【０００６】
そのため、サブバンドダミー光を撤去したサブバンドの一部のチャンネルに新たに信号光を増設する場合、増設する信号光の送信パワーだけでは、サブバンドダミー光の撤去により失われる送信パワーを補うことができない。この場合、不足する送信パワーを補うために、別のサブバンドのサブバンドダミー光の送信レベルを調整することがある。しかしながら、サブバンドダミー光が信号光よりも広い波長帯域を有するため、サブバンドダミー光の送信レベルを細かく調整することができないという問題点がある。
【０００７】
信号光を撤去したサブバンドにサブバンドダミー光を挿入する場合や、障害の発生した伝送路を修復するために光ケーブルを継ぎ足す場合も、別のサブバンドのサブバンドダミー光の送信レベルを調整することがある。従って、これらの場合にも同様の問題が生じる。
【０００８】
特に、サブバンドにおいて、送信端の送信レベルを上昇させているにもかかわらず、対向局の信号光特性が劣化するという非線形効果が起きている非線形状態では、信号特性が不安定になり、わずかな送信レベルの変動で信号特性が急激に変動したり劣化したりすることがある。そのため、非線形状態のサブバンドについては、サブバンドダミー光の送信レベルを変更しないのが望ましいが、特性改善のために送信レベルを変更する場合がある。
【０００９】
非線形効果の主な要因の一つである４光波混合という事象によって信号光とダミー光との間で干渉が発生すると、ダミー光の送信レベルの変動が信号光に影響を及ぼしてしまう。ダミー光の波長帯域がサブバンドの波長帯域と同じであると、信号光に対するダミー光のパワー比が大きくなるため、サブバンドダミー光の送信レベルを細かく調整することができないと、信号光へ大きな影響を及ぼしてしまうことになる。
【００１０】
サブバンドダミー光を挿入する代わりに、チャンネルごとに、信号光と同じ波長のダミー光を挿入することができる。これ以降の説明において、信号光と同じ波長のダミー光をチャンネルダミー光と称することがある。サブバンドダミー光とチャンネルダミー光とを区別する必要がない場合には、単にダミー光と称することがある。
【００１１】
しかしながら、チャンネルダミー光を挿入する場合、チャンネルダミー光の数は、サブバンド数に１サブバンド当たりのチャンネル数を乗じた数となるため、サブバンドダミー光を挿入する場合よりもダミー光の数が多くなる。そのため、光伝送装置の初期導入時及び信号光の増設や撤去時に、対向局の受信側の信号光特性を最適にするために、送信側の光伝送装置において信号光及びダミー光の送信レベルを調整する際に、手間と時間がかかるという問題点がある。
【００１２】
ダミー光の送信レベルを細かく調整することができる光伝送装置及びダミー光挿入方法を提供することを目的とする。全てのチャンネルにチャンネルダミー光を挿入する場合に比べて迅速にダミー光の送信レベルを調整することができる光伝送装置及びダミー光挿入方法を提供することを目的とする。
【課題を解決するための手段】
【００１３】
光伝送装置は、波長多重部及び選択部を有する。波長多重部は、ＷＤＭのチャンネルごとのチャンネルダミー光と、複数のチャンネルを含むサブバンドごとのサブバンドダミー光のうち、サブバンドごとに選択部により選択されるいずれかのダミー光を波長多重する。選択部は、サブバンドごとにチャンネルダミー光の強度に対する受信端での伝送特性を計測し、計測結果に応じて、サブバンドごとにチャンネルダミー光またはサブバンドダミー光のいずれかを選択する。
【発明の効果】
【００１４】
光伝送装置及びダミー光挿入方法によれば、ダミー光の送信レベルを細かく調整することができる。この光伝送装置及びダミー光挿入方法によれば、全てのチャンネルにチャンネルダミー光を挿入する場合に比べて迅速にダミー光の送信レベルを調整することができる。
【図面の簡単な説明】
【００１５】
【図１】図１は、実施の形態にかかる光伝送装置の第１の例を示す図である。
【図２】図２は、図１に示す光伝送装置における光信号の流れを示す図である。
【図３】図３は、サブバンドの一例を示す図である。
【図４】図４は、サブバンドダミー光を示す図である。
【図５】図５は、チャンネルダミー光を示す図である。
【図６】図６は、光伝送システムの一例を示す図である。
【図７】図７は、実施の形態にかかる光伝送装置の第２の例のハードウェア構成を示す図である。
【図８】図８は、図７に示す光伝送装置における制御部の機能的構成の一例を示す図である。
【図９】図９は、サブバンド状態管理テーブルの一例を示す図である。
【図１０】図１０は、受信端となる光伝送装置の一例のハードウェア構成を示す図である。
【図１１】図１１は、図１０に示す光伝送装置における監視部の機能的構成の一例を示す図である。
【図１２】図１２は、受信特性格納テーブルの一例を示す図である。
【図１３】図１３は、実施の形態にかかるダミー光挿入方法の一例を示す図である。
【図１４】図１４は、実施の形態にかかるサブバンド処理の一例を示す図である。
【図１５】図１５は、実施の形態にかかる状態判定処理の第１の例を示す図である。
【図１６】図１６は、線形状態における送信レベル値とＯＳＮＲ平均値との関係の一例を示す図である。
【図１７】図１７は、非線形状態における送信レベル値とＯＳＮＲ平均値との関係の一例を示す図である。
【図１８】図１８は、実施の形態にかかる状態判定処理の第２の例を示す図である。
【図１９】図１９は、線形、非線形のいずれでもない状態における送信レベル値とＯＳＮＲ平均値との関係の一例を示す図である。
【図２０】図２０は、サブバンド状態管理テーブルにおけるサブバンド番号１のレコードの一例を示す図である。
【図２１】図２１は、図２０に示すレコード内容に基づいて送信レベル値とＯＳＮＲ平均値との関係をグラフ化して示す図である。
【図２２】図２２は、サブバンド状態管理テーブルにおけるサブバンド番号６のレコードの一例を示す図である。
【図２３】図２３は、図２２に示すレコード内容に基づいて送信レベル値とＯＳＮＲ平均値との関係をグラフ化して示す図である。
【図２４】図２４は、図２０及び図２２に示すレコード内容を反映させた発光スペクトルの一例を示す図である。
【図２５】図２５は、サブバンド状態管理テーブルにおけるサブバンド番号３のレコードの一例を示す図である。
【図２６】図２６は、図２５に示すレコード内容に基づいて送信レベル値とＯＳＮＲ平均値との関係をグラフ化して示す図である。
【図２７】図２７は、図２０、図２２及び図２５に示すレコード内容を反映させた発光スペクトルの一例を示す図である。
【発明を実施するための形態】
【００１６】
以下に添付図面を参照して、この光伝送装置及びダミー光挿入方法の好適な実施の形態を詳細に説明する。以下の各実施例の説明においては、同様の構成要素には同一の符号を付して、重複する説明を省略する。
【００１７】
・光伝送装置の第１の例
図１は、実施の形態にかかる光伝送装置の第１の例を示す図である。図２は、図１に示す光伝送装置における光信号の流れを示す図である。図１及び図２に示すように、光伝送装置は、ＷＤＭシステムに用いられる装置であり、選択部１及び波長多重部２を有する。
【００１８】
選択部１は複数のサブバンドダミー光入力ポート３、複数のチャンネルダミー光入力ポート４及び伝送特性入力端子５に接続されている。各サブバンドダミー光入力ポート３には、各サブバンドのサブバンドダミー光がそれぞれ入力される。各チャンネルダミー光入力ポート４には、各チャンネルのチャンネルダミー光がそれぞれ入力される。
【００１９】
伝送特性入力端子５には、図１に示す光伝送装置から出力される光信号を受信する図示しない受信端での伝送特性が入力される。選択部１は、受信端での伝送特性に基づいて、サブバンドごとにチャンネルダミー光の強度に対する受信端での伝送特性を計測する。選択部１は、受信端での伝送特性の計測結果に応じて、サブバンドごとにチャンネルダミー光またはサブバンドダミー光のいずれかを選択する。
【００２０】
波長多重部２は複数の光伝送路６によって選択部１に接続されている。波長多重部２には光出力ポート７が接続されている。波長多重部２は、サブバンドごとに選択部１により選択されるサブバンドダミー光またはチャンネルダミー光を波長多重して光出力ポート７から出力する。
【００２１】
・サブバンドの一例
図３は、サブバンドの一例を示す図である。図３に示す例では、ＷＤＭシステムは１５３１．１１６ｎｍ〜１５６６．７２３ｎｍの波長帯域を用いている。チャンネルの波長間隔は例えば０．４ｎｍであり、従って周波数間隔は例えば２５ＧＨｚである。サブバンド幅は例えば１５０ＧＨｚである。
【００２２】
従って、１サブバンド当たりの信号収容可能数は６チャンネルであり、サブバンド数は全部で１５である。図３において各サブバンド内の破線は信号光１１の光出力を表している。なお、ＷＤＭシステムの使用波長帯域、チャンネルの波長間隔、サブバンド幅、１サブバンド当たりの信号収容可能数またはサブバンド数は種々変更可能である。
【００２３】
・サブバンドダミー光の特徴
図４は、サブバンドダミー光を示す図である。図４に示すように、サブバンドダミー光１２は、スペクトルの面積、すなわち出力パワーが大きく、信号光全体に対するサブバンドダミー光の出力パワー比が高いという特徴を有する。サブバンドダミー光１２の送信レベルがわずかに変わってもサブバンドの送信レベルが変化する。
【００２４】
あるサブバンドのサブバンドダミー光の送信レベルが下がると、その下がった分、隣のサブバンドの送信レベルが相対的に上がる。サブバンドにはサブバンドダミー光が一つ挿入されるため、サブバンドの送信レベルを調整する手間と時間が少なくて済む。
【００２５】
・チャンネルダミー光の特徴
図５は、チャンネルダミー光を示す図である。図５に示すように、チャンネルダミー光１３は、スペクトルの面積が小さく、信号光全体に対するチャンネルダミー光の出力パワー比が低いという特徴を有する。１チャンネルごとにチャンネルダミー光の送信レベルを変更することができるため、サブバンド全体の送信レベルの変化が小さく抑えられる。なお、図５には一例として、１サブバンド当たりの信号収容可能数が５チャンネルである場合が示されている。
【００２６】
あるチャンネルダミー光の送信レベルが下がると、その隣のチャンネルの送信レベルが相対的に上がるが、その変動は局所的でかつ微小である。サブバンドには、最大でサブバンドを構成するチャンネル数分のチャンネルダミー光が挿入され、各チャンネルダミー光の送信レベルを調整することができるため、サブバンドの送信レベルを細かく調整することができる。
【００２７】
従って、受信端での伝送特性の計測結果から送信レベルを細かく調整できなくてもよいと判断されるサブバンドについては、サブバンドダミー光を挿入してもよい。そうすれば、サブバンドの送信レベルを調整する手間と時間を省くことができる。送信レベルを細かく調整できなくてもよいと判断されるサブバンドの一例として、線形状態のサブバンドが挙げられる。線形状態では、送信端の送信レベルを上昇させると対向局の信号光特性が改善される。
【００２８】
一方、受信端での伝送特性の計測結果から送信レベルを細かく調整できるのが望ましいと判断されるサブバンドについては、チャンネルダミー光を挿入するのがよい。送信レベルを細かく調整できるのが望ましいと判断されるサブバンドの一例として、例えば非線形状態のサブバンドが挙げられる。また、線形状態及び非線形状態のいずれでもないサブバンドについてもチャンネルダミー光を挿入してもよい。
【００２９】
図１に示す光伝送装置によれば、受信端での伝送特性の計測結果に基づいてサブバンドごとにサブバンドダミー光またはチャンネルダミー光が挿入される。それによって、送信レベルを細かく調整できるのが望ましいサブバンドにチャンネルダミー光が挿入されるため、ダミー光の送信レベルを細かく調整することができる。従って、光伝送装置の運用開始後に信号光の波長を増やしたり減らしたりする場合に、ダミー光の送信レベルを細かく調整することによって既設の信号光への影響を抑えることができる。また、送信レベルを細かく調整できなくてもよいサブバンドにサブバンドダミー光が挿入されるため、例えば光伝送装置の初期導入時に、全てのチャンネルにチャンネルダミー光が挿入される場合に比べて迅速にダミー光の送信レベルを調整することができる。
【００３０】
・光伝送システムの一例
図６は、光伝送システムの一例を示す図である。図６に示すように、光伝送システムは、例えば送信端となる光伝送装置２１及び受信端となる光伝送装置２５を有する。送信端となる光伝送装置２１は、光信号を送信する。受信端となる光伝送装置２５は、光信号を受信する。
【００３１】
一つ以上の光増幅中継装置２２，２３，２４が、送信端となる光伝送装置２１と受信端となる光伝送装置２５との間の伝送路２６に設けられていてもよい。光増幅中継装置２２，２３，２４は、上流の光伝送装置２１もしくは光増幅中継装置２２，２３から送信されてくる光信号を増幅して下流の光増幅中継装置２３，２４もしくは光伝送装置２５へ送信する。各装置２１〜２５の間は伝送路２６によって接続されている。例えば光ファイバは伝送路２６の一例である。
【００３２】
一般に、光増幅中継装置２２，２３，２４は、光伝送システムで用いられ得る最大波長数を考慮して設計されている。それに対して、光伝送システムの初期導入時には、信号光の波長数が少ないことがある。その場合には、信号光がまだ挿入されていないサブバンドにダミー光を挿入し、光増幅中継装置２２，２３，２４にとって十分なパワーを確保することによって、信号光の受信特性の劣化が防止される。光伝送システムの運用開始後、ダミー光は、信号光の波長増設に伴って撤去されていき、最終的に信号光が最大波長数に達すると完全になくなる。
【００３３】
・送信端となる光伝送装置の第２の例
図７は、実施の形態にかかる光伝送装置の第２の例のハードウェア構成を示す図である。図７に示すように、送信端となる光伝送装置２１は、ダミー光源アンプ３５、光カプラ（ＣＰＬ）３６、第１の波長分離デバイス（ＤＥＭＵＸ＃１）３７、第２の波長分離デバイス（ＤＥＭＵＸ＃２）３８、複数の可変光アッテネータ（ＶＯＡ）３９及び波長選択スイッチ（ＷＳＳ）４０を有する。
【００３４】
ダミー光源アンプ３５は、例えば偏光依存性のない自然放出光（ＡＳＥ、Ａｍｐｌｉｆｉｅｄ  Ｓｐｏｎｔａｎｅｏｕｓ  Ｅｍｉｓｓｉｏｎ）を出力する。さらに予備のダミー光源アンプを用意し、冗長構成を取ることによって信頼性を向上されてもよい。
【００３５】
光カプラ３６はダミー光源アンプ３５に接続されている。光カプラ３６は、ダミー光源アンプ３５から出力される光を例えば２分岐させる。
【００３６】
第１の波長分離デバイス３７は光カプラ３６に接続されている。第１の波長分離デバイス３７は、サブバンドのグリッドを有している。第１の波長分離デバイス３７は、光カプラ３６から出力される光を各サブバンドの波長帯域Ｓ１〜Ｓｘに対応するサブバンドダミー光に分離して対応する出力ポートからそれぞれ出力する。第１の波長分離デバイス３７の出力ポートの数は、ＷＤＭシステムで用いられる最大サブバンド数と同じかそれ以上の数である。ＡＷＧ（Ａｒｒａｙｅｄ−Ｗａｖｅｇｕｉｄｅ  Ｇｒａｔｉｎｇ、アレイ導波路グレーティング）デバイスは第１の波長分離デバイス３７の一例である。
【００３７】
第２の波長分離デバイス３８は光カプラ３６に接続されている。第２の波長分離デバイス３８は、信号光と同じグリッドを有している。第２の波長分離デバイス３８は、光カプラ３６から出力される光を各信号光の波長λａ〜λｘに対応するチャンネルダミー光に分離して対応する出力ポートからそれぞれ出力する。第２の波長分離デバイス３８の出力ポートの数は、ＷＤＭシステムで用いられる最大チャンネル数と同じかそれ以上の数である。ＡＷＧデバイスは第２の波長分離デバイス３８の一例である。
【００３８】
可変光アッテネータ３９は、第１の波長分離デバイス３７の各出力ポート及び第２の波長分離デバイス３８の各出力ポートにそれぞれ一つずつ接続されている。各可変光アッテネータ３９は、後述する制御部４１の制御信号インターフェース部４２に接続されている。各可変光アッテネータ３９は、制御信号インターフェース部４２から出力されるレベル調整信号に基づいて、第１の波長分離デバイス３７から出力される各サブバンドダミー光の送信レベル、及び第２の波長分離デバイス３８から出力される各チャンネルダミー光の送信レベルをそれぞれ調整する。
【００３９】
波長選択スイッチ４０の各入力ポートには可変光アッテネータ３９がそれぞれ接続されている。波長選択スイッチ４０は、後述する制御部４１の制御信号インターフェース部４２に接続されている。波長選択スイッチ４０は、制御信号インターフェース部４２から出力されるダミー光選択信号に基づいて、所望の入力ポートの光を選択して取り出す。つまり、波長選択スイッチ４０は、第１の波長分離デバイス３７から出力されるサブバンドダミー光、及び第２の波長分離デバイス３８から出力されるチャンネルダミー光の中から、サブバンドに挿入するダミー光を選択する。
【００４０】
波長選択スイッチ４０は、後述する波長多重デバイス（ＭＵＸ）３４、及び自装置２１の図示省略する出力ポートに接続されている。波長選択スイッチ４０は、波長多重デバイス３４から出力される信号光と、サブバンドに対して挿入するダミー光とを波長多重して、自装置２１の出力ポートに接続される伝送路へ出力する。
【００４１】
また、送信端となる光伝送装置２１は、制御部４１、λ１〜λｎの波長に対応するｎ個の信号光受信部４６，４７及び第３の波長分離デバイス（ＤＥＭＵＸ＃３）４８を有する。ｎは、整数であり、ＷＤＭシステムで用いられるチャンネル数である。送信端となる光伝送装置２１は、対向局、すなわち自装置２１が出力する波長多重光を受信する図示しない受信端となる光伝送装置から波長多重光を受信する。
【００４２】
第３の波長分離デバイス４８は、自装置２１の図示省略する入力ポートに接続されている。第３の波長分離デバイス４８は、自装置２１の入力ポートに接続される伝送路から波長多重光を受信し、各波長λ１〜λｎの光に分離して対応する出力ポートからそれぞれ出力する。ＡＷＧデバイスは第３の波長分離デバイス４８の一例である。
【００４３】
各信号光受信部４６，４７は第３の波長分離デバイス４８の各出力ポートにそれぞれ接続されている。各信号光受信部４６，４７は、第３の波長分離デバイス４８からλ１〜λｎの波長の信号光を受信し、各信号光から対向局のＯＳＮＲ情報を抽出して制御部４１へ出力する。
【００４４】
制御部４１は、対向局のＯＳＮＲ情報に基づいてサブバンドの状態を判断し、その判断に基づいてダミー光の種類を決定する。制御部４１は制御信号インターフェース部４２、ＣＰＵ（Ｃｅｎｔｒａｌ  Ｐｒｏｃｅｓｓｉｎｇ  Ｕｎｉｔ、中央処理装置）４３、メモリ４４及び対向局ＯＳＮＲ（Ｏｐｔｉｃａｌ  Ｓｉｇｎａｌ−ｔｏ−Ｎｏｉｓｅ  Ｒａｔｉｏ、光信号雑音比）情報受信部４５を有する。ＯＳＮＲ情報はチャンネルダミー光の強度に対する受信端での伝送特性の一例である。
【００４５】
対向局ＯＳＮＲ情報受信部４５は各信号光受信部４６，４７に接続されている。対向局ＯＳＮＲ情報受信部４５は、各信号光受信部４６，４７からそれぞれ出力される対向局のＯＳＮＲ情報を受信してＣＰＵ４３へ出力する。対向局ＯＳＮＲ情報受信部４５は例えばＦＰＧＡ（Ｆｉｅｌｄ  Ｐｒｏｇｒａｍｍａｂｌｅ  Ｇａｔｅ  Ａｒｒａｙ）などのプロセッサにより実現されてもよい。
【００４６】
ＣＰＵ４３は対向局ＯＳＮＲ情報受信部４５に接続されている。ＣＰＵ４３は、対向局ＯＳＮＲ情報受信部４５から出力される対向局のＯＳＮＲ情報を用いて、後述するダミー光挿入方法を実現するプログラムを実行する。ＣＰＵ４３は、そのプログラムを実行することによって、チャンネルごとに送信レベル値及びＯＳＮＲ値をメモリ４４に格納し、それらの値を例えばテーブルにして管理してもよい。
【００４７】
さらに、ＣＰＵ４３は、サブバンドごとのＯＳＮＲ値の平均値を求め、送信レベル値とＯＳＮＲ値の平均値との関係からサブバンドの状態、例えば線形状態であるか非線形状態であるかを判断し、その判断に基づいてダミー光の種類を決定する。サブバンドの状態に、線形状態及び非線形状態のいずれでもない状態を設けてもよい。その場合には、ＣＰＵ４３は、サブバンドが線形状態であるか非線形状態であるか、あるいはどちらの状態でもないかを判断する。
【００４８】
ＣＰＵ４３は、ＯＳＮＲ値の平均値、サブバンドの状態及びダミー光の種類の情報をメモリ４４に格納し、それらの値及び情報を送信レベル値及びＯＳＮＲ値とともにテーブルにして管理してもよい。ＣＰＵ４３は、メモリ４４に格納されているテーブルに基づいて、レベル調整信号及びダミー光選択信号を出力する。
【００４９】
メモリ４４はＣＰＵ４３に接続されている。メモリ４４はＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）を含んでいてもよい。メモリ４４は、ＣＰＵ４３によって実行されるブートプログラム、オペレーティングシステム、または後述するダミー光挿入方法を実現するプログラムを格納していてもよい。メモリ４４はＣＰＵ４３の作業領域として用いられてもよい。メモリ４４は、上述するテーブルを格納してもよい。
【００５０】
制御信号インターフェース部４２は、ＣＰＵ４３から出力されるレベル調整信号及びダミー光選択信号を可変光アッテネータ３９及び波長選択スイッチ４０へそれぞれ出力する。それによって、サブバンドごとにサブバンドダミー光もしくはチャンネルダミー光が選択され、さらにダミー光の送信レベルが調整される。制御信号インターフェース部４２は例えばＦＰＧＡなどのプロセッサにより実現されてもよい。
【００５１】
また、送信端となる光伝送装置２１は、λ１〜λｎの波長に対応するｎ個の信号光送信部３１，３２、複数の光アンプ３３及び波長多重デバイス３４を有する。各信号光送信部３１，３２はλ１〜λｎの波長の信号光をそれぞれ出力する。
【００５２】
光アンプ３３は各信号光送信部３１，３２にそれぞれ一つずつ接続されている。各光アンプ３３は、例えば制御部４１の制御によって各信号光送信部３１，３２から出力される信号光の送信レベルをそれぞれ調整する。
【００５３】
波長多重デバイス３４は光アンプ３３に接続されている。波長多重デバイス３４は、各光アンプ３３から出力される信号光を波長多重して波長選択スイッチ４０へ出力する。
【００５４】
図７に示す構成において、波長選択スイッチ４０及び制御部４１は選択部の一例である。波長選択スイッチ４０は波長多重部の一例である。ダミー光源アンプ３５、光カプラ３６及び第１の波長分離デバイス３７は第２の光出力部の一例である。ダミー光源アンプ３５、光カプラ３６及び第２の波長分離デバイス３８は第１の光出力部の一例である。
【００５５】
図８は、図７に示す光伝送装置における制御部の機能的構成の一例を示す図である。図８に示すように、送信端となる光伝送装置２１において、プログラム起動・管理部５１、ダミー光発光制御部５２、対向局情報収集・平均処理部５３、送信レベル可変処理部５４、サブバンド状態判定部５５及びダミー光決定処理部５６が実現される。
【００５６】
また、メモリ４４にサブバンド状態管理テーブル５７が実現される。これらの各機能部５１〜５６及びテーブル５７は、制御部４１のＣＰＵ４３が、後述するダミー光挿入方法を実現するプログラムを実行することによって実現される。
【００５７】
プログラム起動・管理部５１は、後述するダミー光挿入方法を実現するプログラムを起動し、そのプログラムの実行に沿って各機能部５２〜５６を呼び出す。ダミー光発光制御部５２は、波長選択スイッチ４０に対してダミー光選択信号を出力し、それによって波長選択スイッチ４０にダミー光を選択させる。つまり、ダミー光発光制御部５２はダミー光の発光制御を行う。
【００５８】
対向局情報収集・平均処理部５３は、例えば対向局のＯＳＮＲ値を収集し、サブバンドごとのＯＳＮＲ値の平均値を求め、サブバンド状態管理テーブル５７にＯＳＮＲ値及びその平均値を格納する。送信レベル可変処理部５４は、可変光アッテネータ３９に対してレベル調整信号を出力し、それによって可変光アッテネータ３９にチャンネルダミー光の送信レベルを変更させる。
【００５９】
サブバンド状態判定部５５は、サブバンド状態管理テーブル５７を参照し、チャンネルダミー光の送信レベル値とＯＳＮＲ値の平均値との関係からサブバンドの状態を判定する。サブバンド状態判定部５５はサブバンド状態管理テーブル５７にサブバンドの状態を格納してもよい。ダミー光決定処理部５６はサブバンドの状態に基づいてダミー光の種類を決定する。ダミー光決定処理部５６は、サブバンド状態管理テーブル５７からサブバンドの状態を取得してもよい。
【００６０】
図９は、サブバンド状態管理テーブルの一例を示す図である。図９に示すように、サブバンド状態管理テーブル５７には、サブバンド番号ごとにレコードが設けられてもよい。各レコードには、チャンネルダミー光の送信レベル値ごとに対向局における各チャンネルのＯＳＮＲ測定値及びその平均値が格納されてもよい。
【００６１】
また、サブバンド状態管理テーブル５７には、サブバンド番号ごとにサブバンドの状態及びダミー光の種類が格納されてもよい。なお、図９には一例として数値が示されているが、サブバンド数、１サブバンド当たりのチャンネル数及び送信レベル値は図示例の数値に限定されるものではない。ＯＳＮＲ測定値及びＯＳＮＲ平均値は一例である。
【００６２】
・受信端となる光伝送装置の一例
図１０は、受信端となる光伝送装置の一例のハードウェア構成を示す図である。図１０に示すように、受信端となる光伝送装置２５は、監視部６４、λ１〜λｎの波長に対応するｎ個の信号光送信部７１，７２及び波長多重デバイス（ＭＵＸ）７０を有する。光伝送装置２５は、伝送路から自装置２５の図示省略する入力ポートに入力する波長多重光を２分岐させ、一方の光を監視部６４へ入力させ、もう一方の光を後述する波長分離デバイス（ＤＥＭＵＸ）６１へ入力させる。
【００６３】
監視部６４は、入力される光の特性を監視し、チャンネルごとにＯＳＮＲ値を測定して各信号光送信部７１，７２へ出力する。監視部６４は、光測定部６５、測定情報受信部６６、ＣＰＵ６７、メモリ６８及びＯＳＮＲ情報挿入部６９を有する。
【００６４】
光測定部６５は、監視部６４に入力される波長多重光のスペクトル測定を行い、チャンネルごとにＯＳＮＲ値を測定して測定情報受信部６６へ出力する。例えばスペクトラムアナライザは光測定部６５の一例である。光測定部６５は、チャンネルごとに受信レベルを測定してもよい。測定情報受信部６６は光測定部６５に接続されている。測定情報受信部６６は、光測定部６５から出力されるチャンネルごとのＯＳＮＲ値をＣＰＵ６７に渡す。
【００６５】
ＣＰＵ６７は測定情報受信部６６に接続されている。ＣＰＵ６７は、測定情報受信部６６から渡されるチャンネルごとのＯＳＮＲ値をＯＳＮＲ情報挿入部６９へ出力する。ＣＰＵ６７は、メモリ６８にチャンネルごとのＯＳＮＲ値を格納し、それらの値を例えばテーブルにして管理してもよい。
【００６６】
メモリ６８はＣＰＵ６７に接続されている。メモリ６８は、チャンネルごとのＯＳＮＲ値を管理するテーブルを格納してもよいし、ＣＰＵ６７の作業領域として用いられてもよい。ＯＳＮＲ情報挿入部６９はＣＰＵ６７に接続されている。ＯＳＮＲ情報挿入部６９は、チャンネルごとに信号光のオーバヘッドフレームにＯＳＮＲ値を挿入する。
【００６７】
各信号光送信部７１，７２はλ１〜λｎの波長の信号光をそれぞれ波長多重デバイス７０へ出力する。各波長の信号光のオーバーヘッドにはそれぞれの波長のＯＳＮＲ値が含まれている。波長多重デバイス７０は各信号光送信部７１，７２に接続されている。波長多重デバイス７０は、各信号光送信部７１，７２から出力される信号光を波長多重して、自装置２５の図示省略する出力ポートに接続される伝送路へ出力する。これによって、対向局、例えば送信端となる光伝送装置２１へチャンネルごとのＯＳＮＲ値が転送される。
【００６８】
また、受信端となる光伝送装置２５は波長分離デバイス６１及びλ１〜λｎの波長に対応するｎ個の信号光受信部６２，６３を有する。波長分離デバイス６１は、入力される波長多重光を各波長λ１〜λｎの光に分離して対応する信号光受信部６２，６３へ出力する。各信号光受信部６２，６３は波長分離デバイス６１に接続されている。各信号光受信部６２，６３は波長分離デバイス６１からλ１〜λｎの波長の信号光を受信し、図示省略する後段の処理部へ転送する。
【００６９】
図１１は、図１０に示す光伝送装置における監視部の機能的構成の一例を示す図である。図１１に示すように、受信端となる光伝送装置２５において、プログラム起動・管理部８１及び測定情報格納／取出部８２が実現される。また、メモリ６８に受信特性格納テーブル８３が実現される。これらの各機能部８１、８２及びテーブル８３は、監視部６４のＣＰＵ６７が、ＯＳＮＲ値を管理するプログラムを実行することによって実現される。なお、ＯＳＮＲ値を管理するプログラムについては説明を省略する。
【００７０】
プログラム起動・管理部８１は、上述するＯＳＮＲ値を管理するプログラムを起動し、そのプログラムの実行に沿って測定情報格納／取出部８２を呼び出す。測定情報格納／取出部８２は、受信特性格納テーブル８３に、光測定部６５によって測定されるチャンネルごとのＯＳＮＲ値を格納する。また、測定情報格納／取出部８２は、受信特性格納テーブル８３からチャンネルごとのＯＳＮＲ値を取得する。
【００７１】
図１２は、受信特性格納テーブルの一例を示す図である。図１２に示すように、受信特性格納テーブル８３には、サブバンド番号ごとまたはチャンネル番号ごとにレコードが設けられてもよい。各レコードには、各チャンネルのＯＳＮＲの測定値が格納されてもよい。なお、図１２には一例として数値が示されているが、サブバンド数及び１サブバンド当たりのチャンネル数は図示例の数値に限定されるものではない。ＯＳＮＲ値は一例である。
【００７２】
・ダミー光挿入方法の一例
図１３は、実施の形態にかかるダミー光挿入方法の一例を示す図である。図１３に示すように、送信端となる光伝送装置２１の初期導入時に、光伝送装置２１においてダミー光挿入方法を実現する処理が開始されると、まず、例えばダミー光決定処理部５６はサブバンド番号を１に設定する（ステップＳ１）。そして、例えばダミー光発光制御部５２、対向局情報収集・平均処理部５３、送信レベル可変処理部５４及びサブバンド状態判定部５５は、サブバンド番号が１であるサブバンドに対して後述するサブバンド処理を実行する（ステップＳ２）。次いで、例えばダミー光決定処理部５６は、サブバンド番号が最大であるか否かを判断する（ステップＳ３）。
【００７３】
サブバンド番号が最大でない場合（ステップＳ３：Ｎｏ）、例えばダミー光決定処理部５６はサブバンド番号をインクリメントする（ステップＳ４）。そして、新たなサブバンド番号のサブバンドに対してサブバンド処理が実行される（ステップＳ２）。サブバンド番号が最大になるまでステップＳ２〜ステップＳ４が繰り返され、全てのサブバンドに対してサブバンド処理が実行される。全てのサブバンドに対してサブバンド処理が実行されると、各サブバンドの状態が判定される。
【００７４】
サブバンド番号が最大になると（ステップＳ３：Ｙｅｓ）、全てのサブバンドについて状態の判定が済むため、例えばダミー光決定処理部５６は各サブバンドの状態を収集し（ステップＳ５）、各サブバンドの状態に応じてダミー光の種類を決定する（ステップＳ６）。そして、例えばダミー光発光制御部５２は、波長選択スイッチ４０に対して、ステップＳ６でサブバンドごとに決定されるダミー光を接続させるようにダミー光の発光制御を行い（ステップＳ７）、一連の処理が終了する。
【００７５】
・サブバンド処理の一例
図１４は、実施の形態にかかるサブバンド処理の一例を示す図である。図１４に示すように、サブバンド処理が開始されると、例えばダミー光発光制御部５２は全チャンネルに対してチャンネルダミー光を選択する。そして、例えば送信レベル可変処理部５４は全チャンネルダミー光の出力パワーを基準値に設定する（ステップＳ１１）。次いで、例えば対向局情報収集・平均処理部５３は、対向局から全チャンネルのＯＳＮＲ値を収集し、サブバンドごとのＯＳＮＲ値の平均値を算出する（ステップＳ１２）。
【００７６】
次いで、例えば送信レベル可変処理部５４は全チャンネルダミー光の出力パワーを基準値から一定量増大させる（ステップＳ１３）。そして、例えば対向局情報収集・平均処理部５３は、対向局から全チャンネルのＯＳＮＲ値を収集し、サブバンドごとのＯＳＮＲ値の平均値を算出する（ステップＳ１４）。次いで、例えばサブバンド状態判定部５５は、全チャンネルダミー光の出力パワーが最大であるか否かを判断する（ステップＳ１５）。出力パワーの範囲は予め設定されている。
【００７７】
出力パワーが最大でない場合（ステップＳ１５：Ｎｏ）、再び例えば送信レベル可変処理部５４は全チャンネルダミー光の出力パワーを一定量増大させる（ステップＳ１３）。そして、例えば対向局情報収集・平均処理部５３は、対向局から全チャンネルのＯＳＮＲ値を収集し、サブバンドごとのＯＳＮＲ値の平均値を算出する（ステップＳ１４）。出力パワーが最大になるまでステップＳ１３〜ステップＳ１５が繰り返される。
【００７８】
全チャンネルダミー光の出力パワーが最大になると（ステップＳ１５：Ｙｅｓ）、例えば送信レベル可変処理部５４は全チャンネルダミー光の出力パワーを基準値から一定量減少させる（ステップＳ１６）。そして、例えば対向局情報収集・平均処理部５３は、対向局から全チャンネルのＯＳＮＲ値を収集し、サブバンドごとのＯＳＮＲ値の平均値を算出する（ステップＳ１７）。
【００７９】
次いで、例えばサブバンド状態判定部５５は、全チャンネルダミー光の出力パワーが出力パワーの範囲内で最小であるか否かを判断する（ステップＳ１８）。出力パワーが最小でない場合（ステップＳ１８：Ｎｏ）、再び例えば送信レベル可変処理部５４は全チャンネルダミー光の出力パワーを一定量減少させる（ステップＳ１６）。そして、例えば対向局情報収集・平均処理部５３は、対向局から全チャンネルのＯＳＮＲ値を収集し、サブバンドごとのＯＳＮＲ値の平均値を算出する（ステップＳ１７）。出力パワーが最小になるまでステップＳ１６〜ステップＳ１８が繰り返される。
【００８０】
全チャンネルダミー光の出力パワーが最小になると（ステップＳ１８：Ｙｅｓ）、例えばサブバンド状態判定部５５は、後述する状態判定処理を実行し（ステップＳ１９）、図１３に示すフローチャートのステップＳ３に戻る。なお、ステップＳ１３〜ステップＳ１５の前にステップＳ１６〜ステップＳ１８を行ってもよい。
【００８１】
・状態判定処理の第１の例
図１５は、実施の形態にかかる状態判定処理の第１の例を示す図である。図１６は、線形状態における送信レベル値とＯＳＮＲ平均値との関係の一例を示す図である。図１７は、非線形状態における送信レベル値とＯＳＮＲ平均値との関係の一例を示す図である。
【００８２】
本実施例では、送信レベル値をａ１〜ａ７の７段階に変化させ、送信レベル値ａ１〜ａ７におけるＯＳＮＲ平均値をそれぞれｂ１〜ｂ７として説明する。送信レベル値はａ１からａ７へ向かって大きくなるとする。なお、図１５においてｍは１〜６の整数である。
【００８３】
図１５に示すように、状態判定処理の第１の例が開始されると、例えばサブバンド状態判定部５５は各送信レベル値ａ１〜ａ７におけるＯＳＮＲ平均値ｂ１〜ｂ７を取得する（ステップＳ２１）。次いで、例えばサブバンド状態判定部５５は各ＯＳＮＲ値の差分ｃｍを算出する（ステップＳ２２）。例えばｃ１はｂ２からｂ１を引いた値であり、ｃ２はｂ３からｂ２を引いた値である。ｃ６はｂ７からｂ６を引いた値である。
【００８４】
次いで、例えばサブバンド状態判定部５５は、全てのｃの値が０よりも大きいか否か、すなわち全てのｃの値の符号がプラスであるか否かを判断する（ステップＳ２３）。全てのｃの値の符号がプラスである場合（ステップＳ２３：Ｙｅｓ）、送信レベル値とＯＳＮＲ平均値との関係は例えば図１６に示すようになる。従って、例えばサブバンド状態判定部５５はサブバンドの状態を線形状態であると判定し（ステップＳ２４）、図１３に示すフローチャートのステップＳ３に戻る。
【００８５】
一方、一部のｃの値の符号がマイナスである場合（ステップＳ２３：Ｎｏ）、送信レベル値とＯＳＮＲ平均値との関係は例えば図１７に示すようになる。従って、例えばサブバンド状態判定部５５はサブバンドの状態を非線形状態であると判定し（ステップＳ２５）、図１３に示すフローチャートのステップＳ３に戻る。
【００８６】
このように、チャンネルダミー光の出力変化に対する対向局での伝送特性の変化に基づいてサブバンドの状態を判定するため、送信端となる光伝送装置２１はサブバンドの状態を容易に判定することができる。例えば送信端となる光伝送装置２１は、チャンネルダミー光の出力増加に対して対向局でのＯＳＮＲ値が改善するか劣化するかを知ることによって、サブバンドの状態が線形状態であるか非線形状態であるかを容易に判定することができる。
【００８７】
図１３に示すフローチャートに戻り、ステップＳ６でダミー光の種類を決定する際、例えばダミー光決定処理部５６は、非線形状態のサブバンド及びその両隣のサブバンドに対するダミー光の種類をチャンネルダミー光に決定する。例えばダミー光決定処理部５６は、非線形状態のサブバンド及びその両隣のサブバンドを除く、残りのサブバンドに対するダミー光の種類をサブバンドダミー光に決定する。
【００８８】
・状態判定処理の第２の例
図１８は、実施の形態にかかる状態判定処理の第２の例を示す図である。図１９は、線形、非線形のいずれでもない状態における送信レベル値とＯＳＮＲ平均値との関係の一例を示す図である。
【００８９】
本実施例では、送信レベル値をａ１〜ａ７の７段階に変化させ、送信レベル値ａ１〜ａ７におけるＯＳＮＲ平均値をそれぞれｂ１〜ｂ７として説明する。送信レベル値はａ１からａ７へ向かって大きくなるとする。なお、図１８においてｍは１〜６の整数である。Ｘは、光伝送装置２１において変更可能な値であり、システムに応じて決定される。Ｙは、送信レベルの増減量に依存する値である。送信レベルの増減量はシステムに応じて変更可能であるとする。
【００９０】
図１８に示すように、状態判定処理の第２の例が開始されると、例えばサブバンド状態判定部５５は各送信レベル値ａ１〜ａ７におけるＯＳＮＲ平均値ｂ１〜ｂ７を取得する（ステップＳ３１）。次いで、例えばサブバンド状態判定部５５は各ＯＳＮＲ平均値の差分ｃｍを算出する（ステップＳ３２）。例えばｂ２からｂ１を引いた値ｃ１、ｂ３からｂ２を引いた値ｃ２、・・・、ｂ７からｂ６を引いた値ｃ６を求める。
【００９１】
次いで、例えばサブバンド状態判定部５５は、全てのｃの値が０よりも大きいか否か、すなわち全てのｃの値の符号がプラスであるか否かを判断する（ステップＳ３３）。全てのｃの値の符号がプラスである場合（ステップＳ３３：Ｙｅｓ）、例えばサブバンド状態判定部５５は、ｃ値の増加量Δｃが送信レベル値の増加量Δａに対して±ＸｄＢ以内であるか否かを判断する（ステップＳ３４）。例えばΔｃが、ΔａからＸを引いた値以上であり、かつΔａにＸを足した値以下であるか否かを判断する。
【００９２】
ΔｃがΔａ±ＸｄＢ以内である場合（ステップＳ３４：Ｙｅｓ）、送信レベル値とＯＳＮＲ平均値との関係は例えば図１６に示すようになる。従って、例えばサブバンド状態判定部５５はサブバンドの状態を線形状態であると判定し（ステップＳ３５）、図１３に示すフローチャートのステップＳ３に戻る。
【００９３】
ΔｃがΔａ±ＸｄＢ以内でない場合（ステップＳ３４：Ｎｏ）、送信レベル値とＯＳＮＲ平均値との関係は例えば図１９に示すようになる。図１９に示す特性は、非線形状態ではないが、送信レベル値に対するＯＳＮＲ平均値の関係が比例関係にはない。従って、例えばサブバンド状態判定部５５はサブバンドの状態を不定状態または非比例状態であると判定し（ステップＳ３７）、図１３に示すフローチャートのステップＳ３に戻る。
【００９４】
一方、一部のｃの値の符号がマイナスである場合（ステップＳ３３：Ｎｏ）、例えばサブバンド状態判定部５５は、ｃの値の符号がマイナスである箇所がＹ箇所以上連続するか否かを判断する（ステップＳ３６）。Ｙ箇所以上連続しない場合（ステップＳ３６：Ｎｏ）、すなわち単発的または時々、ｃの値の符号がマイナスになることがあるため、送信レベル値とＯＳＮＲ平均値との関係は例えば図１９に示すようになる。従って、この場合も例えばサブバンド状態判定部５５はサブバンドの状態を不定状態または非比例状態であると判定し（ステップＳ３７）、図１３に示すフローチャートのステップＳ３に戻る。
【００９５】
それに対して、ｃの値の符号がマイナスである箇所がＹ箇所以上連続する場合（ステップＳ３６：Ｙｅｓ）、送信レベル値とＯＳＮＲ平均値との関係は例えば図１７に示すようになる。従って、例えばサブバンド状態判定部５５はサブバンドの状態を非線形状態であると判定し（ステップＳ３８）、図１３に示すフローチャートのステップＳ３に戻る。
【００９６】
このように、送信端となる光伝送装置２１は、チャンネルダミー光の出力増加に対して対向局でのＯＳＮＲ値が改善するか劣化するか、あるいはいずれでもないかを知ることによって、サブバンドの状態が線形状態であるか非線形状態であるか、あるいは不定状態もしくは非比例状態であるかを容易に判定することができる。
【００９７】
図１３に示すフローチャートに戻り、ステップＳ６でダミー光の種類を決定する際、例えばダミー光決定処理部５６は、非線形状態のサブバンド及びその両隣のサブバンドに対するダミー光の種類をチャンネルダミー光に決定する。例えばダミー光決定処理部５６は、不定状態または非比例状態のサブバンドに対するダミー光の種類をチャンネルダミー光に決定する。例えばダミー光決定処理部５６は、非線形状態のサブバンド、非線形状態の両隣のサブバンド、及び不定状態または非比例状態のサブバンドを除く、残りのサブバンドに対するダミー光の種類をサブバンドダミー光に決定する。
【００９８】
・状態判定処理の第１の例を適用する場合の具体例
図２０〜図２４に、状態判定処理の第１の例を適用する場合の具体例を示す。図２０は、サブバンド状態管理テーブルにおけるサブバンド番号１のレコードの一例を示す図である。図２１は、図２０に示すレコード内容に基づいて送信レベル値とＯＳＮＲ平均値との関係をグラフ化して示す図である。図２０及び図２１に示す例では、サブバンド番号１のサブバンドの状態は線形状態である。
【００９９】
図２２は、サブバンド状態管理テーブルにおけるサブバンド番号６のレコードの一例を示す図である。図２３は、図２２に示すレコード内容に基づいて送信レベル値とＯＳＮＲ平均値との関係をグラフ化して示す図である。図２２及び図２３に示す例では、サブバンド番号６のサブバンドの状態は非線形状態である。
【０１００】
図２４は、図２０及び図２２に示すレコード内容を反映させた発光スペクトルの一例を示す図である。ただし、サブバンド番号４のサブバンドに信号光が挿入されており、サブバンド番号６のサブバンド以外に非線形状態のサブバンドがないものとする。
【０１０１】
この場合、図２４に示すように、サブバンド番号５〜７のサブバンドにチャンネルダミー光が挿入される。サブバンド番号４のサブバンドには信号光が挿入されており、残りのサブバンド番号が１〜３及び８〜１５であるサブバンドにはサブバンドダミー光が挿入される。
【０１０２】
非線形状態のサブバンド及びその両隣のサブバンドにチャンネルダミー光を挿入する理由は以下の通りである。例えば図２４に示す例において、非線形状態であるサブバンド番号６のサブバンド、並びにその両隣のサブバンド番号５及び７のサブバンドにサブバンドダミー光を挿入すると仮定する。この状態でサブバンド番号６のサブバンドのサブバンドダミー光を撤去して新たに信号光を増設するとする。
【０１０３】
この場合、サブバンド番号６のサブバンドのサブバンドダミー光がなくなる分の送信レベルを、既存のサブバンドダミー光、例えばサブバンド番号７のサブバンドのサブバンドダミー光の送信レベルで調整する必要がある。サブバンド番号７のサブバンドのサブバンドダミー光のパワーを変化させると、それに応じてサブバンド番号６のサブバンドに増設される信号光のパワーにも変化が生じる。
【０１０４】
サブバンド番号６のサブバンドは非線形状態であるため、パワー変動に弱い領域である。そのため、信号光のパワー量によっては自己位相変調や４光波混合という事象が発生し、信号光の特性に大きな変動が生じるおそれがある。そのためレベル調整が困難になってしまう。
【０１０５】
それに対して、非線形状態であるサブバンド番号６のサブバンドにチャンネルダミー光を挿入すると、サブバンド番号６のサブバンドは初期運用段階から信号光と等価な利得状態となる。そのため、サブバンド番号６のサブバンドにおいてチャンネルダミー光を撤去してその代わりに信号光を容易に増設することができる。つまり、高難易度なレベル調整作業が不要となる。従って、非線形状態であるサブバンドにはチャンネルダミー光を挿入するのがよい。
【０１０６】
また、非線形状態であるサブバンド番号６のサブバンドの両隣にあるサブバンド番号５及び７のサブバンドのダミー光がチャンネルダミー光であると、例えばサブバンド番号７のサブバンドのサブバンドダミー光のレベルをより細かく調整することができる。それによって、サブバンド番号６のサブバンドに増設される信号光への影響を抑えてレベル調整を行うことができる。従って、非線形状態であるサブバンドの両隣のサブバンドにはチャンネルダミー光を挿入するのがよい。
【０１０７】
・状態判定処理の第２の例を適用する場合の具体例
図２５〜図２７に、状態判定処理の第２の例を適用する場合の具体例を示す。図２５は、サブバンド状態管理テーブルにおけるサブバンド番号３のレコードの一例を示す図である。図２６は、図２５に示すレコード内容に基づいて送信レベル値とＯＳＮＲ平均値との関係をグラフ化して示す図である。図２５及び図２６に示す例では、サブバンド番号３のサブバンドの状態は不定状態または非比例状態である。
【０１０８】
図２７は、図２０、図２２及び図２５に示すレコード内容を反映させた発光スペクトルの一例を示す図である。ただし、サブバンド番号４のサブバンドに信号光が挿入されており、サブバンド番号３及び６のサブバンド以外に非線形状態のサブバンドがないものとする。
【０１０９】
この場合、図２７に示すように、サブバンド番号３のサブバンドにチャンネルダミー光が挿入される。サブバンド番号５〜７のサブバンドにチャンネルダミー光が挿入される。サブバンド番号４のサブバンドには信号光が挿入されており、残りのサブバンド番号が１、２及び８〜１５であるサブバンドにはサブバンドダミー光が挿入される。
【０１１０】
不定状態または非比例状態のサブバンドにチャンネルダミー光を挿入する理由は以下の通りである。サブバンドの状態が不定状態または非比例状態となる要因として、伝送路の光ファイバの損失特性や、利得や偏波状態の波長依存性などが挙げられる。この事象は、この事象が発生しているサブバンド内への影響に閉じており、隣のサブバンドには直接影響を及ぼさないことが知られている。
【０１１１】
例えば図２７に示す例において、不定状態または非比例状態であるサブバンド番号３のサブバンド、並びにその隣のサブバンド番号２のサブバンドにサブバンドダミー光を挿入すると仮定する。この状態でサブバンド番号３のサブバンドのサブバンドダミー光を撤去して新たに信号光を増設するとする。
【０１１２】
この場合、サブバンド番号３のサブバンドは非線形状態ではないため、急激な特性劣化は生じないが、送信レベルと受信特性の関係が見出せない状態にある。そのため、伝送特性を改善するためには新たに増設する信号光のレベルを上げるか、サブバンド番号２のサブバンドのサブバンドダミー光のレベルもしくはサブバンド番号４のサブバンドの信号光のレベルを調整することが考えられる。
【０１１３】
しかし、不定状態または非比例状態はサブバンド内に閉じた事象であるため、他のサブバンドのレベルを調整しても、新たに増設する信号光の特性が期待通りになる可能性は低いと考えられる。一方、新たに増設する信号光のレベルを上げ続けていくと、その信号光のパワー強度によって自己位相変調がかかり、受信特性が劣化するおそれがある。
【０１１４】
この場合、サブバンド番号３のサブバンドにチャンネルダミー光を挿入しておけば、新たに増設する信号光の特性を改善するための手法の選択肢を増やすことができる。つまり、新たに増設する信号光のみのレベルを調整することもできるし、隣のサブバンドの信号光もしくはダミー光のレベルを調整することもできるし、サブバンド番号３のサブバンド内のチャンネルダミー光のレベルを調整することもできる。
【０１１５】
また、サブバンド番号３のサブバンド内のチャンネルダミー光のレベルを調整することによって、新たに増設する信号光のレベルを上げ過ぎることがなくなる。新たに増設する信号光の送信レベルを少しずつ上げ、かつチャンネルダミー光のレベルを少しずつ上げたり下げたりする調整を行うことによって、特性を改善することができる。従って、不定状態または非比例状態であるサブバンドにはチャンネルダミー光を挿入するのがよい。
【０１１６】
図７に示す光伝送装置２１、または図１３〜図１５もしくは図１８に示すダミー光挿入方法によれば、受信端でのＯＳＮＲ値に基づいてサブバンドの状態が判定され、サブバンドの状態に応じてサブバンドダミー光またはチャンネルダミー光が挿入される。それによって、非線形状態のサブバンド、非線形状態のサブバンドの両隣のサブバンド、及び不定状態もしくは非比例状態のサブバンドにチャンネルダミー光が挿入されるため、ダミー光の送信レベルを細かく調整することができる。従って、光伝送装置２１の運用開始後に信号光の波長を増やしたり減らしたりする場合に、ダミー光の送信レベルを細かく調整することによって既設の信号光や新たに増設する信号光への影響を抑えることができる。また、線形状態のサブバンドにサブバンドダミー光が挿入されるため、例えば光伝送装置２１の初期導入時に、全てのチャンネルにチャンネルダミー光が挿入される場合に比べて迅速にダミー光の送信レベルを調整することができる。
【０１１７】
図７に示す光伝送装置２１によれば、ＣＰＵ４３によって可変光アッテネータ３９及び波長選択スイッチ４０が制御されることによって、信号光とダミー光との間の物理的な接続変えが不要となる。そのため、信号光を増やしたり減らしたりする作業をより安全に行うことができる。
【０１１８】
上述した各実施例を含む実施形態に関し、さらに以下の付記を開示する。
【０１１９】
（付記１）ＷＤＭのチャンネルごとのダミー光と、複数の前記チャンネルを含むサブバンドごとのダミー光とを波長多重する波長多重部と、前記サブバンドごとに前記チャンネルごとのダミー光の強度に対する受信端での伝送特性を計測し、前記計測結果に応じて、前記サブバンドごとに前記チャンネルごとのダミー光、または前記サブバンドごとのダミー光のいずれかを選択する選択部と、を備え、前記サブバンドごとに前記選択部により選択されるいずれかのダミー光を前記波長多重部により波長多重することを特徴とする光伝送装置。
【０１２０】
（付記２）前記選択部は、前記受信端での伝送特性の計測結果に基づいて前記サブバンドごとに線形状態であるか否かを判定し、前記判定結果が線形状態であるサブバンドに対して前記サブバンドごとのダミー光を選択し、前記判定結果が非線形状態であるサブバンド及び該非線形状態であるサブバンドの両隣のサブバンドに対して前記チャンネルごとのダミー光を選択することを特徴とする付記１に記載の光伝送装置。
【０１２１】
（付記３）前記選択部は、前記判定結果が線形状態及び非線形状態のいずれでもない状態であるサブバンドに対して前記チャンネルごとのダミー光を選択することを特徴とする付記２に記載の光伝送装置。
【０１２２】
（付記４）前記選択部は、前記チャンネルごとのダミー光の出力変化に対する前記受信端での伝送特性の変化に基づいて前記サブバンドの状態を判定することを特徴とする付記２または３に記載の光伝送装置。
【０１２３】
（付記５）前記選択部は、前記チャンネルごとのダミー光の出力増加に対して前記受信端での伝送特性が改善する場合に線形状態であると判定し、前記チャンネルごとのダミー光の出力増加に対して前記受信端での伝送特性が劣化する場合に非線形状態であると判定することを特徴とする付記２に記載の光伝送装置。
【０１２４】
（付記６）前記選択部は、前記チャンネルごとのダミー光の出力増加分に対して前記受信端での伝送特性の改善幅が一定範囲内に入らない場合に線形状態及び非線形状態のいずれでもない状態であると判定することを特徴とする付記３に記載の光伝送装置。
【０１２５】
（付記７）前記チャンネルごとに前記チャンネルごとのダミー光を出力する第１の光出力部と、前記サブバンドごとに前記サブバンドごとのダミー光を出力する第２の光出力部と、前記第１の光出力部から前記波長多重部へ入力される前記チャンネルごとのダミー光の強度、及び前記第２の光出力部から前記波長多重部へ入力される前記サブバンドごとのダミー光の強度をそれぞれ調整する可変光アッテネータと、を備えることを特徴とする付記１乃至６のいずれか一つに記載の光伝送装置。
【０１２６】
（付記８）ＷＤＭのチャンネルごとのダミー光と、複数の前記チャンネルを含むサブバンドごとのダミー光とを波長多重するにあたって、前記サブバンドごとにチャンネルごとのダミー光の強度に対する受信端での伝送特性を計測し、前記計測結果に応じて、前記サブバンドごとに前記チャンネルごとのダミー光、または前記サブバンドごとのダミー光のいずれかを選択し、前記サブバンドごとに選択されるいずれかのダミー光を波長多重することを特徴とするダミー光挿入方法。
【符号の説明】
【０１２７】
１  選択部
２  波長多重部
２１  光伝送装置
３５  ダミー光源アンプ
３６  光カプラ
３７  第１の波長分離デバイス
３８  第２の波長分離デバイス
３９  可変光アッテネータ
４０  波長選択スイッチ
４１  制御部
【図１】
2014187671.tif 000003
【図２】
2014187671.tif 000004
【図３】
2014187671.tif 000005
【図４】
2014187671.tif 000006
【図５】
2014187671.tif 000007
【図６】
2014187671.tif 000008
【図７】
2014187671.tif 000009
【図８】
2014187671.tif 000010
【図９】
2014187671.tif 000011
【図１０】
2014187671.tif 000012
【図１１】
2014187671.tif 000013
【図１２】
2014187671.tif 000014
【図１３】
2014187671.tif 000015
【図１４】
2014187671.tif 000016
【図１５】
2014187671.tif 000017
【図１６】
2014187671.tif 000018
【図１７】
2014187671.tif 000019
【図１８】
2014187671.tif 000020
【図１９】
2014187671.tif 000021
【図２０】
2014187671.tif 000022
【図２１】
2014187671.tif 000023
【図２２】
2014187671.tif 000024
【図２３】
2014187671.tif 000025
【図２４】
2014187671.tif 000026
【図２５】
2014187671.tif 000027
【図２６】
2014187671.tif 000028
【図２７】
2014187671.tif 000029